(57)【要約】【課題】コンテンツの送信装置を切り替え可能な構成において、再生装置における安定したコンテンツ再生を実現する。【解決手段】放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、前記運用系のＩＰ再送信装置が受信している放送波の周波数に前記待機系のＩＰ再送信装置が受信する放送波の周波数を合わせるステップと、前記運用系のＩＰ再送信装置および前記待機系のＩＰ再送信装置の各々からの出力の元となる内部状態であって個体差の生じる内部状態を整合させるステップと、所定のタイミングにおいて、前記運用系のＩＰ再送信装置から前記待機系のＩＰ再送信装置へ前記コンテンツの再送信を切り替えるステップとを含む。【選択図】図４
2019009756.tif 000002
【特許請求の範囲】
【請求項１】
放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、
前記運用系のＩＰ再送信装置が受信している放送波の周波数に前記待機系のＩＰ再送信装置が受信する放送波の周波数を合わせるステップと、
前記運用系のＩＰ再送信装置および前記待機系のＩＰ再送信装置の各々からの出力の元となる内部状態であって個体差の生じる内部状態を整合させるステップと、
所定のタイミングにおいて、前記運用系のＩＰ再送信装置から前記待機系のＩＰ再送信装置へ前記コンテンツの再送信を切り替えるステップとを含む、切り替え方法。
【請求項２】
前記放送波に含まれる基準タイミングの情報が各前記ＩＰ再送信装置において取得され、
前記ＩＰ再送信装置は、前記基準タイミングの情報を前記ＩＰパケットに含めて再送信し、
前記内部状態は、前記基準タイミングの情報の前記ＩＰ再送信装置からの出力タイミングである、請求項１に記載の切り替え方法。
【請求項３】
前記ＩＰ再送信装置は、前記コンテンツの再生装置における処理タイミングを前記ＩＰパケットに含めて送信し、
前記内部状態は、前記処理タイミングのカウント値である、請求項１または請求項２に記載の切り替え方法。
【請求項４】
放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、
前記運用系のＩＰ再送信装置が受信している放送波の周波数に前記待機系のＩＰ再送信装置が受信する放送波の周波数を合わせるステップと、
前記運用系のＩＰ再送信装置において生成される、前記コンテンツの再生装置における処理タイミングに関するタイミング情報を前記待機系のＩＰ再送信装置に与えるステップと、
所定のタイミングにおいて、前記運用系のＩＰ再送信装置から前記待機系のＩＰ再送信装置へ前記コンテンツの再送信を切り替えるステップと、
切り替え先の前記ＩＰ再送信装置が、与えられた前記タイミング情報に基づく前記処理タイミングを前記ＩＰパケットに含めて送信するステップとを含む、切り替え方法。
【請求項５】
前記放送波に含まれる基準タイミングの情報が各前記ＩＰ再送信装置において取得され、
前記タイミング情報は、前記基準タイミングに基づいて前記運用系のＩＰ再送信装置において生成される、請求項４に記載の切り替え方法。
【請求項６】
分配器から同じ放送波を受信し、前記放送波に含まれるコンテンツをＩＰパケットに含めて再送信する複数のＩＰ再送信装置を備えるＩＰ再送信システムであって、
各前記ＩＰ再送信装置から出力される前記ＩＰパケットは、中継装置によって中継されてネットワークへ送信され、
待機系の前記ＩＰ再送信装置は、受信する放送波の周波数を、運用系の前記ＩＰ再送信装置が受信している放送波の周波数に合わせ、
前記ＩＰ再送信システムは、さらに、
前記運用系のＩＰ再送信装置および前記待機系のＩＰ再送信装置の各々からの出力の元となる内部状態であって個体差の生じる内部状態を整合させる整合部と、
前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させる切り替え部とを備える、ＩＰ再送信システム。
【請求項７】
分配器から同じ放送波を受信し、前記放送波に含まれるコンテンツをＩＰパケットに含めて再送信する複数のＩＰ再送信装置と、
制御装置とを備え、
各前記ＩＰ再送信装置から出力される前記ＩＰパケットは、中継装置によって中継されてネットワークへ送信され、
待機系の前記ＩＰ再送信装置は、受信する放送波の周波数を、運用系の前記ＩＰ再送信装置が受信している放送波の周波数に合わせ、
前記待機系のＩＰ再送信装置は、前記運用系のＩＰ再送信装置において生成される、前記コンテンツの再生装置における処理タイミングに関するタイミング情報を前記制御装置を介して取得し、
前記制御装置は、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させ、
切り替え先の前記ＩＰ再送信装置は、与えられた前記タイミング情報に基づく前記処理タイミングを前記ＩＰパケットに含めて送信する、ＩＰ再送信システム。
【請求項８】
放送波を受信し、前記放送波に含まれるコンテンツをＩＰパケットに含めて再送信する複数のＩＰ再送信装置を備えるＩＰ再送信システムにおける前記ＩＰ再送信装置であって、
運用系の前記ＩＰ再送信装置および待機系の前記ＩＰ再送信装置の各々からの出力の元となる内部状態であって個体差の生じる内部状態を整合させるための処理を行う処理部と、
前記ＩＰパケットを出力する出力部とを備える、ＩＰ再送信装置。
【請求項９】
放送波を受信し、前記放送波に含まれるコンテンツをＩＰパケットに含めて再送信するＩＰ再送信システムにおけるＩＰ再送信装置であって、
前記コンテンツの再生装置における処理タイミングに関するタイミング情報を生成するタイミング情報生成部と、
前記タイミング情報生成部によって生成された前記タイミング情報を他の前記ＩＰ再送信装置に通知する通知部と、
他の前記ＩＰ再送信装置から通知された前記タイミング情報を取得する取得部と、
前記取得部によって取得された前記タイミング情報に基づく前記処理タイミングを含む前記ＩＰパケットを生成して送信するパケット処理部とを備える、ＩＰ再送信装置。
【請求項１０】
放送波を受信し、前記放送波に含まれるコンテンツをＩＰパケットに含めて再送信する複数のＩＰ再送信装置を備えるＩＰ再送信システムにおける制御装置であって、
待機系の前記ＩＰ再送信装置に対して、受信する放送波の周波数を、運用系の前記ＩＰ再送信装置が受信している放送波の周波数に合わせる命令を通知する放送波命令部と、
前記運用系のＩＰ再送信装置において生成される、前記コンテンツの再生装置における処理タイミングに関するタイミング情報を取得する取得部と、
前記取得部によって取得された前記タイミング情報を前記待機系のＩＰ再送信装置に与える情報付与部と、
所定のタイミングにおいて前記運用系のＩＰ再送信装置が前記コンテンツの再送信を停止し、かつ所定のタイミングにおいて前記待機系のＩＰ再送信装置が前記コンテンツの再送信を開始する命令を通知する切り替え命令部とを備える、制御装置。
【発明の詳細な説明】
【技術分野】
【０００１】
本発明は、切り替え方法、ＩＰ再送信システム、ＩＰ再送信装置および制御装置に関する。
【背景技術】
【０００２】
近年のデジタル技術の向上に伴い、テレビ放送等にデジタル技術を応用し、より多くの番組を提供するサービスが提供されている。限られた伝送帯域を使ってより多くの番組を高画質かつ高音質で提供するために、高能率圧縮および多重化技術が用いられている。
【０００３】
このようなデジタル放送のシステムの一例として、たとえば、特開２０１０−１７１７９９号公報（特許文献１）には、以下のような構成が開示されている。すなわち、再多重システムは、デジタル放送波を受信し復調してＭＰＥＧ−２ＴＳ（Ｔｒａｎｓｐｏｒｔ  Ｓｔｒｅａｍ）を出力する復調装置と、前記復調装置からＭＰＥＧ−２  ＴＳが入力され、複数チャネルのＭＰＥＧ−２映像を対象にトランスコードを各々実行し、トランスコード後の映像とデジタル放送信号中の音声、字幕と、ＰＣＲ（Ｐｒｏｇｒａｍ  Ｃｌｏｃｋ  Ｒｅｆｅｒｅｎｃｅ）とをＭＰＥＧ−２  ＴＳ形式に多重して出力する複数の映像トランスコーダと、前記複数の映像トランスコーダのトランスコーダ出力信号と、前記復調装置のＭＰＥＧ−２  ＴＳ出力とを再多重する再多重装置とを備える。前記再多重装置は、前記複数の映像トランスコーダからのトランスコーダ出力信号を各々受信し、該受信信号中のＭＰＥＧ−２  ＴＳのＴＳパケットを抽出して、信号記憶手段の信号バッファ領域に書き込む複数のトランスコーダ出力信号受信手段と、前記復調装置からのＭＰＥＧ−２  ＴＳ出力を受信し、該受信信号中のＭＰＥＧ−２  ＴＳのＴＳパケットを抽出して、信号記憶手段の信号バッファ領域に書き込む放送信号受信手段と、前記複数のトランスコーダ出力信号受信手段により信号記憶手段に書き込まれたＭＰＥＧ−２  ＴＳのＴＳパケット中のＰＣＲ、前記放送信号受信手段により信号記憶手段に書き込まれたＭＰＥＧ−２  ＴＳのＴＳパケット中のＰＣＲに基づいて、前記映像トランスコーダから受信したＭＰＥＧ−２  ＴＳのＴＳパケットと前記復調装置から受信したＭＰＥＧ−２  ＴＳのＴＳパケットとの多重タイミングを決定するためのタイムスタンプ値を各ＴＳパケット毎に求め、該タイムスタンプ値を各ＴＳパケットと合わせて前記信号記憶手段に書き込む多重タイミング制御手段と、前記信号記憶手段に格納されているタイムスタンプ値の大きさに従って定められる多重タイミングで、該信号記憶手段内のＴＳパケットを読み出して、前記トランスコーダ出力信号とデジタル放送信号を再多重して出力する多重手段とを備える。
【先行技術文献】
【特許文献】
【０００４】
【特許文献１】特開２０１０−１７１７９９号公報
【発明の概要】
【発明が解決しようとする課題】
【０００５】
ケーブルテレビ等のデジタル放送の配信事業者の局舎では、運用系および予備系の複数の配信装置が設けられる場合が多い。
【０００６】
ここで、運用系の配信装置の保守交換等のために当該配信装置の出力を停止し、予備系の配信装置へ配信を切り替える場合において、コンテンツを良好に再生することが望まれる。
【０００７】
この発明は、上述の課題を解決するためになされたもので、その目的は、コンテンツの送信装置を切り替え可能な構成において、再生装置における安定したコンテンツ再生を実現することが可能な切り替え方法、ＩＰ再送信システム、ＩＰ再送信装置および制御装置を提供することである。
【課題を解決するための手段】
【０００８】
（１）上記課題を解決するために、この発明のある局面に係わる切り替え方法は、放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、前記運用系のＩＰ再送信装置が受信している放送波の周波数に前記待機系のＩＰ再送信装置が受信する放送波の周波数を合わせるステップと、前記運用系のＩＰ再送信装置および前記待機系のＩＰ再送信装置の各々からの出力の元となる内部状態であって個体差の生じる内部状態を整合させるステップと、所定のタイミングにおいて、前記運用系のＩＰ再送信装置から前記待機系のＩＰ再送信装置へ前記コンテンツの再送信を切り替えるステップとを含む。
【０００９】
（４）上記課題を解決するために、この発明のある局面に係わる切り替え方法は、放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、前記運用系のＩＰ再送信装置が受信している放送波の周波数に前記待機系のＩＰ再送信装置が受信する放送波の周波数を合わせるステップと、前記運用系のＩＰ再送信装置において生成される、前記コンテンツの再生装置における処理タイミングに関するタイミング情報を前記待機系のＩＰ再送信装置に与えるステップと、所定のタイミングにおいて、前記運用系のＩＰ再送信装置から前記待機系のＩＰ再送信装置へ前記コンテンツの再送信を切り替えるステップと、切り替え先の前記ＩＰ再送信装置が、与えられた前記タイミング情報に基づく前記処理タイミングを前記ＩＰパケットに含めて送信するステップとを含む。
【００１０】
（６）上記課題を解決するために、この発明のある局面に係わるＩＰ再送信システムは、分配器から同じ放送波を受信し、前記放送波に含まれるコンテンツをＩＰパケットに含めて再送信する複数のＩＰ再送信装置を備えるＩＰ再送信システムであって、各前記ＩＰ再送信装置から出力される前記ＩＰパケットは、中継装置によって中継されてネットワークへ送信され、待機系の前記ＩＰ再送信装置は、受信する放送波の周波数を、運用系の前記ＩＰ再送信装置が受信している放送波の周波数に合わせ、前記ＩＰ再送信システムは、さらに、前記運用系のＩＰ再送信装置および前記待機系のＩＰ再送信装置の各々からの出力の元となる内部状態であって個体差の生じる内部状態を整合させる整合部と、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させる切り替え部とを備える。
【００１１】
（７）上記課題を解決するために、この発明のある局面に係わるＩＰ再送信システムは、分配器から同じ放送波を受信し、前記放送波に含まれるコンテンツをＩＰパケットに含めて再送信する複数のＩＰ再送信装置と、制御装置とを備え、各前記ＩＰ再送信装置から出力される前記ＩＰパケットは、中継装置によって中継されてネットワークへ送信され、待機系の前記ＩＰ再送信装置は、受信する放送波の周波数を、運用系の前記ＩＰ再送信装置が受信している放送波の周波数に合わせ、前記待機系のＩＰ再送信装置は、前記運用系のＩＰ再送信装置において生成される、前記コンテンツの再生装置における処理タイミングに関するタイミング情報を前記制御装置を介して取得し、前記制御装置は、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させ、切り替え先の前記ＩＰ再送信装置は、与えられた前記タイミング情報に基づく前記処理タイミングを前記ＩＰパケットに含めて送信する。
【００１２】
（８）上記課題を解決するために、この発明のある局面に係わるＩＰ再送信装置は、放送波を受信し、前記放送波に含まれるコンテンツをＩＰパケットに含めて再送信する複数のＩＰ再送信装置を備えるＩＰ再送信システムにおける前記ＩＰ再送信装置であって、運用系の前記ＩＰ再送信装置および待機系の前記ＩＰ再送信装置の各々からの出力の元となる内部状態であって個体差の生じる内部状態を整合させるための処理を行う処理部と、前記ＩＰパケットを出力する出力部とを備える。
【００１３】
（９）上記課題を解決するために、この発明のある局面に係わるＩＰ再送信装置は、放送波を受信し、前記放送波に含まれるコンテンツをＩＰパケットに含めて再送信するＩＰ再送信システムにおけるＩＰ再送信装置であって、前記コンテンツの再生装置における処理タイミングに関するタイミング情報を生成するタイミング情報生成部と、前記タイミング情報生成部によって生成された前記タイミング情報を他の前記ＩＰ再送信装置に通知する通知部と、他の前記ＩＰ再送信装置から通知された前記タイミング情報を取得する取得部と、前記取得部によって取得された前記タイミング情報に基づく前記処理タイミングを含む前記ＩＰパケットを生成して送信するパケット処理部とを備える。
【００１４】
（１０）上記課題を解決するために、この発明のある局面に係わる制御装置は、放送波を受信し、前記放送波に含まれるコンテンツをＩＰパケットに含めて再送信する複数のＩＰ再送信装置を備えるＩＰ再送信システムにおける制御装置であって、待機系の前記ＩＰ再送信装置に対して、受信する放送波の周波数を、運用系の前記ＩＰ再送信装置が受信している放送波の周波数に合わせる命令を通知する放送波命令部と、前記運用系のＩＰ再送信装置において生成される、前記コンテンツの再生装置における処理タイミングに関するタイミング情報を取得する取得部と、前記取得部によって取得された前記タイミング情報を前記待機系のＩＰ再送信装置に与える情報付与部と、所定のタイミングにおいて前記運用系のＩＰ再送信装置が前記コンテンツの再送信を停止し、かつ所定のタイミングにおいて前記待機系のＩＰ再送信装置が前記コンテンツの再送信を開始する命令を通知する切り替え命令部とを備える。
【００１５】
本発明は、このような特徴的な処理部を備えるＩＰ再送信システムとして実現できるだけでなく、ＩＰ再送信システムの一部または全部を実現する半導体集積回路として実現することができる。
【００１６】
本発明は、このような特徴的な処理部を備えるＩＰ再送信装置として実現できるだけでなく、かかる特徴的な処理をステップとする方法として実現することができる。また、本発明は、このような特徴的な処理部を備えるＩＰ再送信装置として実現できるだけでなく、ＩＰ再送信装置の一部または全部を実現する半導体集積回路として実現することができる。
【００１７】
本発明は、このような特徴的な処理部を備える制御装置として実現できるだけでなく、かかる特徴的な処理をステップとする方法として実現することができる。また、本発明は、このような特徴的な処理部を備える制御装置として実現できるだけでなく、制御装置の一部または全部を実現する半導体集積回路として実現することができる。
【発明の効果】
【００１８】
本発明によれば、コンテンツの送信装置を切り替え可能な構成において、再生装置における安定したコンテンツ再生を実現することができる。
【図面の簡単な説明】
【００１９】
【図１】図１は、本発明の第１の実施の形態に係るＩＰ再送信システムの構成を示す図である。
【図２】図２は、本発明の第１の実施の形態に係るＩＰ再送信システムにおけるＩＰ再送信装置の構成を示す図である。
【図３】図３は、本発明の第１の実施の形態に係るＩＰ再送信システムによるＩＰ再送信装置の切り替え時の処理を示す図である。
【図４】図４は、本発明の第１の実施の形態に係るＩＰ再送信システムによるＩＰ再送信装置の切り替え処理のシーケンスの一例を示す図である。
【図５】図５は、本発明の第１の実施の形態に係るＩＰ再送信システムにおける制御装置の構成を示す図である。
【図６】図６は、本発明の第１の実施の形態に係るＩＰ再送信システムにおけるＩＰ再送信装置の変形例の構成を示す図である。
【図７】図７は、本発明の第２の実施の形態に係るＩＰ再送信システムの構成を示す図である。
【図８】図８は、本発明の第２の実施の形態に係るＩＰ再送信システムにおけるパケットの伝送の一例を示す図である。
【図９】図９は、本発明の第２の実施の形態に係るＩＰ再送信システムにおけるＩＰ再送信装置の他の例の構成を示す図である。
【図１０】図１０は、本発明の第２の実施の形態に係るＩＰ再送信システムにおけるパケットの伝送の他の例を示す図である。
【発明を実施するための形態】
【００２０】
最初に、本発明の実施形態の内容を列記して説明する。
【００２１】
（１）本発明の実施の形態に係る切り替え方法は、放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、前記運用系のＩＰ再送信装置が受信している放送波の周波数に前記待機系のＩＰ再送信装置が受信する放送波の周波数を合わせるステップと、前記運用系のＩＰ再送信装置および前記待機系のＩＰ再送信装置の各々からの出力の元となる内部状態であって個体差の生じる内部状態を整合させるステップと、所定のタイミングにおいて、前記運用系のＩＰ再送信装置から前記待機系のＩＰ再送信装置へ前記コンテンツの再送信を切り替えるステップとを含む。
【００２２】
このような方法により、運用系のＩＰ再送信装置および待機系のＩＰ再送信装置の個体差を吸収し、各装置からの出力の元となる内部状態を整合させることができるため、たとえば、再生装置において、切り替え先のＩＰ再送信装置から伝送されるＩＰパケットを安定して処理し、コンテンツを良好に再生したり、切り替えに伴う他の装置による異常の誤検知を防いだりすることが可能となる。したがって、コンテンツの送信装置を切り替え可能な構成において、再生装置における安定したコンテンツ再生を実現することができる。
【００２３】
（２）好ましくは、前記放送波に含まれる基準タイミングの情報が各前記ＩＰ再送信装置において取得され、前記ＩＰ再送信装置は、前記基準タイミングの情報を前記ＩＰパケットに含めて再送信し、前記内部状態は、前記基準タイミングの情報の前記ＩＰ再送信装置からの出力タイミングである。
【００２４】
このように、内部状態として基準タイミングの送出タイミングを各ＩＰ再送信装置間で整合させることにより、たとえば、切り替えに伴う他の装置による異常の誤検知を防ぐことができる。
【００２５】
（３）好ましくは、前記ＩＰ再送信装置は、前記コンテンツの再生装置における処理タイミングを前記ＩＰパケットに含めて送信し、前記内部状態は、前記処理タイミングのカウント値である。
【００２６】
このように、内部状態として再生装置における処理タイミングのカウント値を各ＩＰ再送信装置間で整合させることにより、再生装置において、切り替え先のＩＰ再送信装置から伝送されるＩＰパケットを安定して処理し、コンテンツを良好に再生することが可能となる。
【００２７】
（４）本発明の実施の形態に係る切り替え方法は、放送波を受信し、前記放送波に含まれるコンテンツをＩＰパケットに含めて再送信する複数のＩＰ再送信装置を備えるＩＰ再送信システムにおいて、前記コンテンツの再送信を運用系の前記ＩＰ再送信装置から待機系の前記ＩＰ再送信装置へ切り替える切り替え方法であって、前記運用系のＩＰ再送信装置が受信している放送波の周波数に前記待機系のＩＰ再送信装置が受信する放送波の周波数を合わせるステップと、前記運用系のＩＰ再送信装置において生成される、前記コンテンツの再生装置における処理タイミングに関するタイミング情報を前記待機系のＩＰ再送信装置に与えるステップと、所定のタイミングにおいて、前記運用系のＩＰ再送信装置から前記待機系のＩＰ再送信装置へ前記コンテンツの再送信を切り替えるステップと、切り替え先の前記ＩＰ再送信装置が、与えられた前記タイミング情報に基づく前記処理タイミングを前記ＩＰパケットに含めて送信するステップとを含む。
【００２８】
このような方法により、運用系のＩＰ再送信装置の出力停止のタイミングおよび待機系のＩＰ再送信装置の出力開始のタイミングを単に合わせて切り替える場合と比べて、再生装置において、切り替え先のＩＰ再送信装置から伝送されるＩＰパケットを安定して処理し、コンテンツを良好に再生することが可能となる。したがって、コンテンツの送信装置を切り替え可能な構成において、再生装置における安定したコンテンツ再生を実現することができる。
【００２９】
（５）好ましくは、前記放送波に含まれる基準タイミングの情報が各前記ＩＰ再送信装置において取得され、前記タイミング情報は、前記基準タイミングに基づいて前記運用系のＩＰ再送信装置において生成される。
【００３０】
このように、放送波に含まれ、各ＩＰ再送信装置において取得される基準タイミングに基づくタイミング情報を算出する方法により、運用系のＩＰ再送信装置の時刻情報および待機系のＩＰ再送信装置の時刻情報を容易に合わせることができる。また、運用系のＩＰ再送信装置から待機系のＩＰ再送信装置へのタイミング情報の伝送遅延による影響を回避することができる。
【００３１】
（６）本発明の実施の形態に係るＩＰ再送信システムは、分配器から同じ放送波を受信し、前記放送波に含まれるコンテンツをＩＰパケットに含めて再送信する複数のＩＰ再送信装置を備えるＩＰ再送信システムであって、各前記ＩＰ再送信装置から出力される前記ＩＰパケットは、中継装置によって中継されてネットワークへ送信され、待機系の前記ＩＰ再送信装置は、受信する放送波の周波数を、運用系の前記ＩＰ再送信装置が受信している放送波の周波数に合わせ、前記ＩＰ再送信システムは、さらに、前記運用系のＩＰ再送信装置および前記待機系のＩＰ再送信装置の各々からの出力の元となる内部状態であって個体差の生じる内部状態を整合させる整合部と、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させる切り替え部とを備える。
【００３２】
このような構成により、運用系のＩＰ再送信装置および待機系のＩＰ再送信装置の個体差を吸収し、各装置からの出力の元となる内部状態を整合させることができるため、たとえば、再生装置において、切り替え先のＩＰ再送信装置から伝送されるＩＰパケットを安定して処理し、コンテンツを良好に再生したり、切り替えに伴う他の装置による異常の誤検知を防いだりすることが可能となる。したがって、コンテンツの送信装置を切り替え可能な構成において、再生装置における安定したコンテンツ再生を実現することができる。
【００３３】
（７）本発明の実施の形態に係るＩＰ再送信システムは、分配器から同じ放送波を受信し、前記放送波に含まれるコンテンツをＩＰパケットに含めて再送信する複数のＩＰ再送信装置と、制御装置とを備え、各前記ＩＰ再送信装置から出力される前記ＩＰパケットは、中継装置によって中継されてネットワークへ送信され、待機系の前記ＩＰ再送信装置は、受信する放送波の周波数を、運用系の前記ＩＰ再送信装置が受信している放送波の周波数に合わせ、前記待機系のＩＰ再送信装置は、前記運用系のＩＰ再送信装置において生成される、前記コンテンツの再生装置における処理タイミングに関するタイミング情報を前記制御装置を介して取得し、前記制御装置は、前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させ、切り替え先の前記ＩＰ再送信装置は、与えられた前記タイミング情報に基づく前記処理タイミングを前記ＩＰパケットに含めて送信する。
【００３４】
このような構成により、運用系のＩＰ再送信装置の出力停止のタイミングおよび待機系のＩＰ再送信装置の出力開始のタイミングを単に合わせて切り替える場合と比べて、再生装置において、切り替え先のＩＰ再送信装置から伝送されるＩＰパケットを安定して処理し、コンテンツを良好に再生することが可能となる。したがって、コンテンツの送信装置を切り替え可能な構成において、再生装置における安定したコンテンツ再生を実現することができる。
【００３５】
（８）本発明の実施の形態に係るＩＰ再送信装置は、放送波を受信し、前記放送波に含まれるコンテンツをＩＰパケットに含めて再送信する複数のＩＰ再送信装置を備えるＩＰ再送信システムにおける前記ＩＰ再送信装置であって、運用系の前記ＩＰ再送信装置および待機系の前記ＩＰ再送信装置の各々からの出力の元となる内部状態であって個体差の生じる内部状態を整合させるための処理を行う処理部と、前記ＩＰパケットを出力する出力部とを備える。
【００３６】
このような構成により、運用系のＩＰ再送信装置および待機系のＩＰ再送信装置の個体差を吸収し、各装置からの出力の元となる内部状態を整合させることができるため、たとえば、再生装置において、切り替え先のＩＰ再送信装置から伝送されるＩＰパケットを安定して処理し、コンテンツを良好に再生したり、切り替えに伴う他の装置による異常の誤検知を防いだりすることが可能となる。したがって、コンテンツの送信装置を切り替え可能な構成において、再生装置における安定したコンテンツ再生を実現することができる。
【００３７】
（９）本発明の実施の形態に係るＩＰ再送信装置は、放送波を受信し、前記放送波に含まれるコンテンツをＩＰパケットに含めて再送信するＩＰ再送信システムにおけるＩＰ再送信装置であって、前記コンテンツの再生装置における処理タイミングに関するタイミング情報を生成するタイミング情報生成部と、前記タイミング情報生成部によって生成された前記タイミング情報を他の前記ＩＰ再送信装置に通知する通知部と、他の前記ＩＰ再送信装置から通知された前記タイミング情報を取得する取得部と、前記取得部によって取得された前記タイミング情報に基づく前記処理タイミングを含む前記ＩＰパケットを生成して送信するパケット処理部とを備える。
【００３８】
このような構成により、運用系のＩＰ再送信装置の出力停止のタイミングおよび待機系のＩＰ再送信装置の出力開始のタイミングを単に合わせて切り替える場合と比べて、再生装置において、切り替え先のＩＰ再送信装置から伝送されるＩＰパケットを安定して処理し、コンテンツを良好に再生することが可能となる。したがって、コンテンツの送信装置を切り替え可能な構成において、再生装置における安定したコンテンツ再生を実現することができる。
【００３９】
（１０）本発明の実施の形態に係る制御装置は、放送波を受信し、前記放送波に含まれるコンテンツをＩＰパケットに含めて再送信する複数のＩＰ再送信装置を備えるＩＰ再送信システムにおける制御装置であって、待機系の前記ＩＰ再送信装置に対して、受信する放送波の周波数を、運用系の前記ＩＰ再送信装置が受信している放送波の周波数に合わせる命令を通知する放送波命令部と、前記運用系のＩＰ再送信装置において生成される、前記コンテンツの再生装置における処理タイミングに関するタイミング情報を取得する取得部と、前記取得部によって取得された前記タイミング情報を前記待機系のＩＰ再送信装置に与える情報付与部と、所定のタイミングにおいて前記運用系のＩＰ再送信装置が前記コンテンツの再送信を停止し、かつ所定のタイミングにおいて前記待機系のＩＰ再送信装置が前記コンテンツの再送信を開始する命令を通知する切り替え命令部とを備える。
【００４０】
このような構成により、運用系のＩＰ再送信装置の出力停止のタイミングおよび待機系のＩＰ再送信装置の出力開始のタイミングを単に合わせて切り替える場合と比べて、再生装置において、切り替え先のＩＰ再送信装置から伝送されるＩＰパケットを安定して処理し、コンテンツを良好に再生することが可能となる。したがって、コンテンツの送信装置を切り替え可能な構成において、再生装置における安定したコンテンツ再生を実現することができる。
【００４１】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４２】
＜第１の実施の形態＞
［構成］
図１は、本発明の第１の実施の形態に係るＩＰ再送信システムの構成を示す図である。
【００４３】
図１を参照して、ＩＰ再送信システム３０１は、たとえばＭＰＥＧ２−ＴＳ（Ｍｏｖｉｎｇ  Ｐｉｃｔｕｒｅ  Ｅｘｐｅｒｔｓ  Ｇｒｏｕｐ  ２  Ｔｒａｎｓｐｏｒｔ  Ｓｔｒｅａｍ）およびＨ．２６４規格に従うＩＰ再送信システムであり、複数のＩＰ再送信装置１０１と、１または複数の制御装置１５１と、分配器１５２と、Ｌ２スイッチ１５３，１５４，１５５とを備える。なお、ＩＰ再送信システム３０１は、他の規格に従うＩＰ再送信システムであってもよい。
【００４４】
図１では、一例として、運用系として１５台のＩＰ再送信装置１０１と、予備系として２台のＩＰ再送信装置１０１と、運用系および予備系として２台の制御装置１５１とが設けられている。なお、Ｌ２スイッチ１５３，１５４，１５５は、１つの装置または複数の装置で実現される。
【００４５】
ＩＰ再送信装置１０１は、放送波を受信し、受信した放送波に含まれるコンテンツをＩＰパケットに含めて再送信する。より詳細には、分配器１５２は、アンテナにおいて受信された放送信号を各ＩＰ再送信装置１０１へ分配する。
【００４６】
ＩＰ再送信装置１０１は、分配器１５２から受けた放送信号からコンテンツ情報を抽出し、抽出したコンテンツ情報をたとえば分割して含む複数のＩＰパケットを、Ｌ２スイッチ１５５およびＩＰ網４０１経由で各ＩＰ−ＳＴＢ１７１へマルチキャストする。すなわち、各ＩＰ再送信装置１０１から出力されるＩＰパケットは、中継装置の一例であるＬ２スイッチ１５５によって中継されてＩＰ網４０１へ送信される。たとえば、ＩＰ再送信装置１０１は、コンテンツが複数に分割された情報を含む複数のＴＳパケットを１または複数のＩＰパケットに含めて再送信する。
【００４７】
ＩＰ−ＳＴＢ１７１は、コンテンツの再生装置の一例であり、ＩＰ網４０１から受信したＩＰパケットからコンテンツ情報を抽出し、テレビジョン装置（ＴＶ）１７２において再生する。
【００４８】
ＩＰ再送信装置１０１は、対応の局のＳＩ情報をＬ２スイッチ１５３経由で全局ＳＩ（Ｓｅｒｖｉｃｅ  Ｉｎｆｏｒｍａｔｉｏｎ）サーバ１６１へ送信する。
【００４９】
また、ＩＰ再送信装置１０１は、分配器１５２から受けた放送信号から緊急警報等の緊急情報を抽出し、Ｌ２スイッチ１５３経由で緊急警報サーバ１６２へ送信する。
【００５０】
制御装置１５１は、Ｌ２スイッチ１５３経由でＩＰ再送信装置１０１と情報を送受信することにより、ＩＰ再送信装置１０１の設定および監視等を行う。
【００５１】
制御装置１５１は、Ｌ２スイッチ１５４経由で鍵サーバ１６３から鍵情報を取得し、Ｌ２スイッチ１５３経由で各ＩＰ再送信装置１０１に与える。
【００５２】
図２は、本発明の第１の実施の形態に係るＩＰ再送信システムにおけるＩＰ再送信装置の構成を示す図である。
【００５３】
図２を参照して、ＩＰ再送信装置１０１は、チューナ１１と、デスクランブル部１２と、トランスコード部１３と、多重化部１４と、ＴＴＳ（Ｔｉｍｅｓｔａｍｐｅｄ  ＴＳ）処理部（パケット処理部）１５と、スクランブル部１６と、ＩＰ変換部（出力部）１７と、制御部（タイミング情報生成部、通知部および取得部）１８と、カウンタ１９と、スイッチ回路２０とを備える。
【００５４】
制御部１８は、ＩＰ再送信装置１０１における各ユニットの設定および監視等を行い、また、制御装置１５１と各種情報の送受信を行う。
【００５５】
チューナ１１は、分配器１５２から受けた放送信号のうち、制御部１８から指定された周波数の放送信号に対してＯＦＤＭ復調処理等の所定の信号処理を行って映像データおよび音声データを含むＴＳパケットの多重化信号を抽出し、抽出した多重化信号をデスクランブル部１２へ出力する。
【００５６】
デスクランブル部１２は、チューナ１１から受けた多重化信号にデスクランブル処理を行い、処理後の映像データを含むＴＳパケットをトランスコード部１３へ出力し、また、処理後の音声データまたはその他のデータを含むＴＳパケットを多重化部１４へ出力する。
【００５７】
トランスコード部１３は、デスクランブル部１２から受けたＴＳパケットに含まれるＭＰＥＧ２規格に従う映像データをＨ．２６４規格に従う映像データにトランスコードし、トランスコード後の映像データを含むＴＳパケットを多重化部１４へ出力する。
【００５８】
多重化部１４は、トランスコード部１３およびデスクランブル部１２から受けた各ＴＳパケットを時間軸方向に多重化して出力する。
【００５９】
ＴＴＳ処理部１５は、多重化部１４から受けた各ＴＳパケットにタイムスタンプを含むヘッダを付加することによりＴＴＳパケットを作成してスクランブル部１６へ出力する。
【００６０】
ここで、タイムスタンプは、コンテンツの再生装置における処理タイミングの一例である。たとえば、ＩＰ再送信装置１０１は、自走クロックのタイミングに従って動作するカウンタのカウント値を処理タイミングとする。この処理タイミングは、ＩＰ−ＳＴＢ１７１におけるＴＳパケットの処理タイミングである。
【００６１】
具体的には、タイムスタンプは、ＩＰ−ＳＴＢ１７１においてＴＳパケットをデコーダへ投入すべきタイミングであり、たとえばＩＰ再送信装置１０１における２７ＭＨｚのクロックのタイミングに従って動作するカウンタ１９のカウント値である。当該クロックは、各ＩＰ再送信装置１０１間で非同期である。
【００６２】
タイムスタンプを用いることにより、ＩＰ−ＳＴＢ１７１は、ネットワークにおける各ＩＰパケットの伝送時間の揺らぎを吸収して、適切なタイミングでＴＳパケットを処理し、コンテンツ情報を良好に再生することができる。
【００６３】
スクランブル部１６は、制御部１８経由で制御装置１５１から取得した鍵情報を用いて、ＴＴＳ処理部１５から受けた各ＴＴＳパケットに含まれる各種情報にスクランブル処理を行い、スクランブル処理後のＴＴＳパケットをＩＰ変換部１７へ出力する。
【００６４】
ＩＰ変換部１７は、スクランブル部１６から受けた１または複数のＴＴＳパケットをＩＰパケットに含め、スイッチ回路２０経由でＬ２スイッチ１５５へ出力する。
【００６５】
図３は、本発明の第１の実施の形態に係るＩＰ再送信システムによるＩＰ再送信装置の切り替え時の処理を示す図である。
【００６６】
ＩＰ再送信システム３０１において、整合部は、運用系のＩＰ再送信装置１０１および待機系のＩＰ再送信装置１０１の各々からの出力の元となる内部状態であって個体差の生じる内部状態を整合させる。この整合部は、たとえば、ＩＰ再送信装置１０１における制御部１８およびＴＴＳ処理部１５、ならびに制御装置１５１における後述する取得部３２および情報付与部３３に相当する。
【００６７】
また、切り替え部は、コンテンツの再送信の切り替えとして、運用系のＩＰ再送信装置１０１に所定のタイミングにおいてコンテンツの再送信を停止させ、待機系のＩＰ再送信装置１０１に所定のタイミングにおいてコンテンツの再送信を開始させる。この切り替え部は、たとえば、制御装置１５１における後述する切り替え命令部３４に相当する。
【００６８】
ＩＰ再送信装置１０１において、処理部は、運用系のＩＰ再送信装置１０１および待機系のＩＰ再送信装置１０１の各々からの出力の元となる内部状態であって個体差の生じる内部状態を整合させるための処理を行う。この処理部は、たとえば、ＩＰ再送信装置１０１における制御部１８およびＴＴＳ処理部１５に相当する。
【００６９】
たとえば、上記内部状態は、コンテンツの再生装置における処理タイミングのカウント値、具体的にはＩＰ−ＳＴＢ１７１におけるＴＳパケットの処理タイミングのカウント値である。
【００７０】
より詳細には、図２および図３を参照して、放送信号には、ＰＣＲ（Ｐｒｏｇｒａｍ  Ｃｌｏｃｋ  Ｒｅｆｅｒｅｎｃｅ）パケットが含まれる。ＰＣＲパケットは、基準タイミングの一例であるＰＣＲを含むＴＳパケットである。ＰＣＲは、放送波の送信装置における２７ＭＨｚのクロックのタイミングに従うカウント値であり、ＩＰ再送信装置１０１およびＩＰ−ＳＴＢ１７１のクロックを、放送波の送信装置におけるクロックと同期させるために用いられる。ＰＣＲは、各ＩＰ再送信装置１０１において取得される。
【００７１】
ＩＰ再送信装置１０１における制御部１８は、ＩＰ−ＳＴＢ１７１における処理タイミングに関するタイミング情報を生成し、他のＩＰ再送信装置１０１に通知することができる。たとえば、タイミング情報は、基準タイミングに基づいて運用系のＩＰ再送信装置１０１において生成される。より詳細には、制御部１８は、自己のＩＰ再送信装置１０１における基準タイミングと処理タイミングとの差分を示すタイミング情報を生成する。
【００７２】
具体的には、制御部１８は、たとえば、基準タイミングとしてＰＣＲ、および処理タイミングとしてタイムスタンプをＴＴＳ処理部１５から取得し、両者の差分Δｔを算出する。この場合、タイミング情報は、処理タイミングであるタイムスタンプに関する差分Δｔである。
【００７３】
たとえば、制御部１８は、差分Δｔを継続して出力する論理回路を有する。制御部１８は、算出した差分Δｔを制御装置１５１へ送信する。なお、制御部１８は、放送波に複数種類のＰＣＲが含まれる場合、ＰＣＲごとに差分Δｔを算出する。
【００７４】
制御装置１５１は、運用系のＩＰ再送信装置１０１から受信した差分Δｔを待機系のＩＰ再送信装置１０１へ送信する。
【００７５】
待機系のＩＰ再送信装置１０１において、制御部１８は、運用系のＩＰ再送信装置１０１から通知されたタイミング情報を取得する。
【００７６】
ＴＴＳ処理部１５は、制御部１８によって取得されたタイミング情報に基づく処理タイミングを含むＩＰパケットを生成して送信する。たとえば、制御部１８は、自走クロックのタイミングに従って動作するカウンタのカウント値を処理タイミングとし、タイミング情報に基づいて処理タイミングを補正する。
【００７７】
より詳細には、制御部１８は、制御装置１５１から受信した差分Δｔを用いて、たとえばカウンタ１９のカウント値を補正する。具体的には、制御部１８は、ＰＣＲに差分Δｔを加算した値を、プリセット値としてカウンタ１９に設定する。
【００７８】
これにより、ＴＴＳ処理部１５は、多重化部１４から受けたＰＣＲパケットに含まれるＰＣＲと同じ速度のクロックのタイミングに従ってカウントアップするカウント値に、制御部１８から通知された差分Δｔを加算した値をタイムスタンプとして用いて、ＴＴＳパケットを作成する。すなわち、運用系のＩＰ再送信装置１０１におけるタイムスタンプ値と待機系のＩＰ再送信装置１０１におけるタイムスタンプ値とを合わせることができる。
【００７９】
ここで、ＩＰ−ＳＴＢ１７１は、受信したＴＴＳパケットを蓄積するバッファを備えており、ＩＰ網４０１等におけるＩＰパケットの伝送遅延の揺らぎを吸収可能である。そして、運用系のＩＰ再送信装置１０１および待機系のＩＰ再送信装置１０１の両者のタイムスタンプカウンタ値がほぼ同じ値で推移することより、ＩＰ−ＳＴＢ１７１は、切り替え先のＩＰ再送信装置１０１から伝送されるＴＴＳパケットを安定して処理し、コンテンツを良好に再生することが可能となる。
【００８０】
また、分配器１５２によって分配された放送信号に含まれるＰＣＲに差分Δｔを加算する構成により、制御装置１５１を経由する運用系のＩＰ再送信装置１０１から待機系のＩＰ再送信装置１０１への差分Δｔの伝送遅延による影響を回避することができる。
【００８１】
［動作の流れ］
次に、本発明の第１の実施の形態に係るＩＰ再送信システムにおけるＩＰ再送信装置の切り替え動作の流れについて説明する。
【００８２】
ＩＰ再送信システム３０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００８３】
図４は、本発明の第１の実施の形態に係るＩＰ再送信システムによるＩＰ再送信装置の切り替え処理のシーケンスの一例を示す図である。
【００８４】
図４を参照して、ＩＰ再送信装置１０１であるＩＰ再送信装置１０１ＡおよびＩＰ再送信装置１０１Ｂがそれぞれ運用系および待機系である状況において、まず、制御装置１５１は、ＩＰ再送信装置１０１Ａのエラーを検知し（ステップＳ１）、待機指示をＩＰ再送信装置１０１Ａへ送信する（ステップＳ２）。
【００８５】
ＩＰ再送信装置１０１Ａは、制御装置１５１から待機指示を受信して、たとえばスイッチ回路２０をオフすることによりＩＰパケット、ＳＩ情報および緊急警報の送信を停止し、待機系となる（ステップＳ３）。
【００８６】
次に、制御装置１５１は、運用指示をＩＰ再送信装置１０１Ｂへ送信する（ステップＳ４）。
【００８７】
次に、ＩＰ再送信装置１０１Ｂは、制御装置１５１から運用指示を受信して、受信する放送波の周波数を、ＩＰ再送信装置１０１Ａが受信している放送波の周波数に合わせる。そして、ＩＰ再送信装置１０１Ｂは、たとえばスイッチ回路２０をオンすることによりＩＰパケット、ＳＩ情報および緊急警報の送信を開始し、運用系となる（ステップＳ５）。
【００８８】
次に、ＩＰ再送信装置１０１Ａの交換または修理等が完了すると、制御装置１５１は、たとえば作業者の操作による切り替え指示を受け付ける（ステップＳ６）。
【００８９】
次に、ＩＰ再送信システム３０１は、運用系のＩＰ再送信装置１０１および待機系のＩＰ再送信装置１０１の各々からの出力の元となる内部状態であって個体差の生じる内部状態を整合させる。
【００９０】
すなわち、まず、制御装置１５１は、タイミング情報要求をＩＰ再送信装置１０１Ｂへ送信する。ここで、放送波に複数種類のＰＣＲが含まれる場合、制御装置１５１は、対象のＰＣＲに対応するＰＩＤ（Ｐａｃｋｅｔ  Ｉｄｅｎｔｉｆｉｃａｔｉｏｎ）をタイミング情報要求に含める（ステップＳ７）。
【００９１】
次に、ＩＰ再送信装置１０１Ｂは、制御装置１５１からタイミング情報要求を受信して、タイミング情報すなわち最新の差分Δｔを取得し、制御装置１５１へ送信する（ステップＳ８）。
【００９２】
次に、制御装置１５１は、ＩＰ再送信装置１０１Ｂから受信したタイミング情報をＩＰ再送信装置１０１Ａへ送信する。ここで、放送波に複数種類のＰＣＲが含まれる場合、制御装置１５１は、対象のＰＣＲに対応するＰＩＤをタイミング情報とともにＩＰ再送信装置１０１Ａへ送信する（ステップＳ９）。
【００９３】
次に、待機系のＩＰ再送信装置１０１Ａは、運用系のＩＰ再送信装置１０１Ｂにおいて生成される、ＩＰ−ＳＴＢ１７１における処理タイミングに関する情報を制御装置１５１を介して取得する。より詳細には、ＩＰ再送信装置１０１Ａは、制御装置１５１からタイミング情報を受信し、受信したタイミング情報に基づいて調整処理、たとえば上述のようなカウンタ１９のカウント値の補正を行い（ステップＳ１０）、ＡＣＫを制御装置１５１へ送信する（ステップＳ１１）。
【００９４】
次に、制御装置１５１は、運用系のＩＰ再送信装置１０１Ｂから待機系のＩＰ再送信装置１０１Ａへコンテンツの再送信を切り替える。すなわち、制御装置１５１は、ＩＰ再送信装置１０１ＡからＡＣＫを受信して、所定の切り替えタイミングをＩＰ再送信装置１０１ＡおよびＩＰ再送信装置１０１Ｂに通知する。具体的には、制御装置１５１は、切り替えタイミングを示すタイムスタンプ値をＩＰ再送信装置１０１ＡおよびＩＰ再送信装置１０１Ｂに通知する。ここで、制御装置１５１は、ＩＰ再送信装置１０１Ａの送信停止タイミングとＩＰ再送信装置１０１Ｂの送信開始タイミングとの間で時間調整が必要な場合、各ＩＰ再送信装置１０１へ送信するタイムスタンプ値を調整して異なるタイムスタンプ値を通知してもよい。すなわち、上記所定タイミングは、運用系のＩＰ再送信装置１０１および待機系のＩＰ再送信装置１０１で異なってもよい（ステップＳ１２およびＳ１４）。
【００９５】
次に、ＩＰ再送信装置１０１ＡおよびＩＰ再送信装置１０１Ｂは、制御装置１５１からタイムスタンプ値の通知を受けると、ＡＣＫを制御装置１５１へ送信する（ステップＳ１３およびＳ１５）。
【００９６】
次に、所定のタイミングすなわち制御装置１５１から通知されたタイムスタンプ値のタイミングにおいて、ＩＰ再送信装置１０１Ｂは、ＩＰパケット、ＳＩ情報および緊急警報の送信を停止し、待機系となる（ステップＳ１６）。
【００９７】
また、所定のタイミングすなわち制御装置１５１から通知されたタイムスタンプ値のタイミングにおいて、ＩＰ再送信装置１０１Ａは、ＩＰパケット、ＳＩ情報および緊急警報の送信を開始し、運用系となる。すなわち、ＩＰ再送信装置１０１Ａは、制御装置１５１から通知されたタイミング情報に基づく処理タイミングをＩＰパケットに含めて送信する。より詳細には、ＩＰ再送信装置１０１Ａは、制御装置１５１から通知された差分Δｔ、およびＰＣＲに基づくタイムスタンプをＴＴＳパケットに含めて送信する（ステップＳ１７）。
【００９８】
なお、ここでは、ＩＰ再送信システム３０１が、ＩＰ再送信装置１０１ＡからＩＰ再送信装置１０１Ｂへの切り替えが行われ、ＩＰ再送信装置１０１Ａの交換または修理等が完了した後、運用系のＩＰ再送信装置１０１Ｂから待機系のＩＰ再送信装置１０１Ａへの切り替えが行われる際に差分Δｔの伝達およびタイムスタンプの調整等のタイミング整合処理を行う例を示したが、これに限定するものではない。
【００９９】
ＩＰ再送信システム３０１は、所定のタイミングにおいて運用系のＩＰ再送信装置１０１から待機系のＩＰ再送信装置１０１への切り替えが行われる際に上記タイミング整合処理を行う構成であればよく、たとえば、エラーが検知された運用系のＩＰ再送信装置１０１Ａから待機系のＩＰ再送信装置１０１Ｂへの切り替えが所定のタイミングにおいて行われる際に上記タイミング整合処理を行う構成であってもよい。
【０１００】
また、制御装置１５１は、切り替えタイミングをタイムスタンプ値を用いて指定する構成に限らず、ＰＣＲを用いて指定してもよい。ただし、制御装置１５１が、切り替えタイミングをタイムスタンプを用いて指定する構成により、放送波により伝送されるＰＣＲを用いる構成と比べて、ＩＰ再送信装置１０１においてタイミングをより確実に把握し、より安定した切り替えを行うことができる。
【０１０１】
図５は、本発明の第１の実施の形態に係るＩＰ再送信システムにおける制御装置の構成を示す図である。
【０１０２】
図５を参照して、制御装置１５１は、放送波命令部３１と、取得部３２と、情報付与部３３と、切り替え命令部３４とを備える。
【０１０３】
放送波命令部３１は、待機系のＩＰ再送信装置１０１に対して、受信する放送波の周波数を、運用系のＩＰ再送信装置１０１が受信している放送波の周波数に合わせる命令たとえば上述の運用指示を通知する。
【０１０４】
取得部３２は、たとえば上述のタイミング情報要求を送信することにより、運用系のＩＰ再送信装置１０１において生成される、コンテンツの再生装置たとえばＩＰ−ＳＴＢ１７１における処理タイミングに関するタイミング情報たとえばタイムスタンプに関する差分Δｔを取得する。
【０１０５】
情報付与部３３は、取得部３２によって取得されたタイミング情報を待機系のＩＰ再送信装置１０１に与える。
【０１０６】
切り替え命令部３４は、所定のタイミングにおいて運用系のＩＰ再送信装置１０１がコンテンツの再送信を停止し、かつ所定のタイミングにおいて待機系のＩＰ再送信装置１０１がコンテンツの再送信を開始する命令たとえば上述の切り替えタイミングを通知する。当該所定のタイミングは、たとえば上述のように処理タイミングを用いて指定されるタイミングである。
【０１０７】
図６は、本発明の第１の実施の形態に係るＩＰ再送信システムにおけるＩＰ再送信装置の変形例の構成を示す図である。
【０１０８】
ＩＰ再送信装置１０１の変形例は、放送波に含まれる基準タイミングたとえばＰＣＲの情報をＩＰパケットに含めて再送信する。
【０１０９】
より詳細には、図６を参照して、ＩＰ再送信装置１０１の変形例は、図２に示すＩＰ再送信装置１０１と比べて、さらに、カウンタ２１を備える。
【０１１０】
多重化部１４は、デスクランブル部１２から受けたＰＣＲパケットに含まれるＰＣＲを、たとえば映像データを含むＴＳパケットに所定周期で含めてＴＴＳ処理部１５へ出力する。これにより、ＰＣＲパケットを別個に出力する構成と比べて、パケットの伝送量を低減することができる。
【０１１１】
より詳細には、カウンタ２１は、たとえば、カウンタ１９と同様に、ＩＰ再送信装置１０１における自走クロックである２７ＭＨｚのクロックのタイミングに従って動作する。カウンタ２１は、所定周期でパルスを生成して多重化部１４へ出力する。
【０１１２】
多重化部１４は、カウンタ２１からパルスを受けると、ＴＳパケットに最新のＰＣＲを含めてＴＴＳ処理部１５へ出力する。
【０１１３】
なお、多重化部１４は、ＰＣＲを、たとえば音声データを含むＴＳパケットに含めて所定周期で出力してもよいし、ＰＣＲパケット自体を所定周期で出力してもよい。
【０１１４】
ところで、運用系および予備系の複数の配信装置が設けられる放送システムにおいて、配信装置は、パケットを処理すべきタイミングの情報を当該パケットに含めて送信する場合がある。運用系の配信装置の保守交換を行う状況において、たとえば、２４時間放送が行われる場合、放送出力を停止することは困難である。このため、運用系の配信装置の保守交換等のために当該配信装置の出力を停止し、予備系の配信装置へ配信を切り替える必要があり、再生装置が受信するパケットに含まれる上記情報が乱れると、コンテンツを良好に再生することが困難となる。
【０１１５】
これに対して、本発明の第１の実施の形態に係る切り替え方法は、コンテンツの再送信を運用系のＩＰ再送信装置１０１から待機系のＩＰ再送信装置１０１へ切り替える切り替え方法である。まず、運用系のＩＰ再送信装置１０１が受信している放送波の周波数に待機系のＩＰ再送信装置１０１が受信する放送波の周波数を合わせる。次に、運用系のＩＰ再送信装置１０１において生成される、コンテンツの再生装置たとえばＩＰ−ＳＴＢ１７１における処理タイミングに関するタイミング情報たとえばタイムスタンプに関する差分Δｔを待機系のＩＰ再送信装置１０１に与える。次に、所定のタイミングにおいて、運用系のＩＰ再送信装置１０１から待機系のＩＰ再送信装置１０１へコンテンツの再送信を切り替える。次に、切り替え先のＩＰ再送信装置１０１が、与えられたタイミング情報に基づく当該処理タイミングをＩＰパケットに含めて送信する。
【０１１６】
このような方法により、運用系のＩＰ再送信装置１０１の出力停止のタイミングおよび待機系のＩＰ再送信装置１０１の出力開始のタイミングを単に合わせて切り替える場合と比べて、ＩＰ−ＳＴＢ１７１において、切り替え先のＩＰ再送信装置１０１から伝送されるＴＴＳパケットを安定して処理し、コンテンツを良好に再生することが可能となる。
【０１１７】
したがって、本発明の第１の実施の形態に係る切り替え方法では、コンテンツの送信装置を切り替え可能な構成において、再生装置における安定したコンテンツ再生を実現することができる。
【０１１８】
また、本発明の第１の実施の形態に係る切り替え方法では、放送波に含まれる基準タイミングたとえばＰＣＲの情報が各ＩＰ再送信装置１０１において取得される。差分Δｔは、ＰＣＲに基づいて運用系のＩＰ再送信装置１０１において生成される。
【０１１９】
このように、分配器１５２によって分配された放送信号に含まれるＰＣＲに基づく差分Δｔを算出する方法により、運用系のＩＰ再送信装置１０１のタイムスタンプ値および待機系のＩＰ再送信装置１０１のタイムスタンプ値を容易に合わせることができる。また、制御装置１５１を経由する運用系のＩＰ再送信装置１０１から待機系のＩＰ再送信装置１０１への差分Δｔの伝送遅延による影響を回避することができる。
【０１２０】
また、本発明の第１の実施の形態に係るＩＰ再送信システムでは、ＩＰ再送信装置１０１は、分配器１５２から同じ放送波を受信し、放送波に含まれるコンテンツをＩＰパケットに含めて再送信する。各ＩＰ再送信装置１０１から出力されるＩＰパケットは、中継装置たとえばＬ２スイッチ１５５によって中継されてネットワークへ送信される。待機系のＩＰ再送信装置１０１は、受信する放送波の周波数を、運用系のＩＰ再送信装置１０１が受信している放送波の周波数に合わせる。待機系のＩＰ再送信装置１０１は、運用系のＩＰ再送信装置１０１において生成される、コンテンツの再生装置たとえばＩＰ−ＳＴＢ１７１における処理タイミングに関するタイミング情報たとえばタイムスタンプに関する差分Δｔを制御装置１５１を介して取得する。制御装置１５１は、コンテンツの再送信の切り替えとして、運用系のＩＰ再送信装置１０１に所定のタイミングにおいてコンテンツの再送信を停止させ、待機系のＩＰ再送信装置１０１に所定のタイミングにおいてコンテンツの再送信を開始させる。切り替え先のＩＰ再送信装置１０１は、与えられたタイミング情報に基づく処理タイミングをＩＰパケットに含めて送信する。
【０１２１】
すなわち、本発明の第１の実施の形態に係るＩＰ再送信装置では、制御部１８は、コンテンツの再生装置たとえばＩＰ−ＳＴＢ１７１における処理タイミングに関するタイミング情報たとえばタイムスタンプに関する差分Δｔを生成する。制御部１８は、生成したタイミング情報を他のＩＰ再送信装置１０１に通知する。制御部１８は、他のＩＰ再送信装置１０１から通知されたタイミング情報を取得する。ＴＴＳ処理部１５は、制御部１８によって取得されたタイミング情報に基づく処理タイミングを含むＩＰパケットを生成して送信する。
【０１２２】
このような構成により、運用系のＩＰ再送信装置１０１の出力停止のタイミングおよび待機系のＩＰ再送信装置１０１の出力開始のタイミングを単に合わせて切り替える場合と比べて、ＩＰ−ＳＴＢ１７１において、切り替え先のＩＰ再送信装置１０１から伝送されるＴＴＳパケットを安定して処理し、コンテンツを良好に再生することが可能となる。
【０１２３】
したがって、本発明の第１の実施の形態に係るＩＰ再送信システムおよびＩＰ再送信装置では、コンテンツの送信装置を切り替え可能な構成において、再生装置における安定したコンテンツ再生を実現することができる。
【０１２４】
また、本発明の第１の実施の形態に係る制御装置では、放送波命令部３１は、待機系のＩＰ再送信装置１０１に対して、受信する放送波の周波数を、運用系のＩＰ再送信装置１０１が受信している放送波の周波数に合わせる命令を通知する。取得部３２は、運用系のＩＰ再送信装置１０１において生成される、コンテンツの再生装置たとえばＩＰ−ＳＴＢ１７１における処理タイミングに関するタイミング情報たとえばタイムスタンプに関する差分Δｔを取得する。情報付与部３３は、取得部３２によって取得されたタイミング情報を待機系のＩＰ再送信装置１０１に与える。そして、切り替え命令部３４は、所定のタイミングにおいて運用系のＩＰ再送信装置１０１がコンテンツの再送信を停止し、かつ所定のタイミングにおいて待機系のＩＰ再送信装置１０１がコンテンツの再送信を開始する命令を通知する。
【０１２５】
このような構成により、運用系のＩＰ再送信装置１０１の出力停止のタイミングおよび待機系のＩＰ再送信装置１０１の出力開始のタイミングを単に合わせて切り替える場合と比べて、ＩＰ−ＳＴＢ１７１において、切り替え先のＩＰ再送信装置１０１から伝送されるＴＴＳパケットを安定して処理し、コンテンツを良好に再生することが可能となる。
【０１２６】
したがって、本発明の第１の実施の形態に係る制御装置では、コンテンツの送信装置を切り替え可能な構成において、再生装置における安定したコンテンツ再生を実現することができる。
【０１２７】
また、本発明の第１の実施の形態に係るＩＰ再送信システムでは、ＩＰ再送信装置１０１は、分配器１５２から同じ放送波を受信し、放送波に含まれるコンテンツをＩＰパケットに含めて再送信する。各ＩＰ再送信装置１０１から出力されるＩＰパケットは、中継装置たとえばＬ２スイッチ１５５によって中継されてネットワークへ送信される。待機系のＩＰ再送信装置１０１は、受信する放送波の周波数を、運用系のＩＰ再送信装置１０１が受信している放送波の周波数に合わせる。整合部は、運用系のＩＰ再送信装置１０１および待機系のＩＰ再送信装置１０１の各々からの出力の元となる内部状態であって個体差の生じる内部状態を整合させる。切り替え部は、コンテンツの再送信の切り替えとして、運用系のＩＰ再送信装置１０１に所定のタイミングにおいてコンテンツの再送信を停止させ、待機系のＩＰ再送信装置１０１に所定のタイミングにおいてコンテンツの再送信を開始させる。
【０１２８】
また、本発明の第１の実施の形態に係るＩＰ再送信装置では、処理部は、運用系のＩＰ再送信装置１０１および待機系のＩＰ再送信装置１０１の各々からの出力の元となる内部状態であって個体差の生じる内部状態を整合させるための処理を行う。そして、ＩＰ変換部１７は、出力部として当該ＩＰパケットを出力する。
【０１２９】
このような構成により、運用系のＩＰ再送信装置１０１および待機系のＩＰ再送信装置１０１の個体差を吸収し、各装置からの出力の元となる内部状態を整合させることができるため、たとえば、ＩＰ−ＳＴＢ１７１において、切り替え先のＩＰ再送信装置１０１から伝送されるＩＰパケットを安定して処理し、コンテンツを良好に再生することが可能となる。
【０１３０】
したがって、本発明の第１の実施の形態に係るＩＰ再送信システムおよびＩＰ再送信装置では、コンテンツの送信装置を切り替え可能な構成において、再生装置における安定したコンテンツ再生を実現することができる。
【０１３１】
また、本発明の第１の実施の形態に係る切り替え方法は、コンテンツの再送信を運用系のＩＰ再送信装置１０１から待機系のＩＰ再送信装置１０１へ切り替える切り替え方法である。まず、運用系のＩＰ再送信装置１０１が受信している放送波の周波数に待機系のＩＰ再送信装置１０１が受信する放送波の周波数を合わせる。次に、運用系のＩＰ再送信装置１０１および待機系のＩＰ再送信装置１０１の各々からの出力の元となる内部状態であって個体差の生じる内部状態を整合させる。次に、所定のタイミングにおいて、運用系のＩＰ再送信装置１０１から待機系のＩＰ再送信装置１０１へコンテンツの再送信を切り替える。
【０１３２】
このような方法により、運用系のＩＰ再送信装置１０１および待機系のＩＰ再送信装置１０１の個体差を吸収し、各装置からの出力の元となる内部状態を整合させることができるため、たとえば、ＩＰ−ＳＴＢ１７１において、切り替え先のＩＰ再送信装置１０１から伝送されるＩＰパケットを安定して処理し、コンテンツを良好に再生することが可能となる。
【０１３３】
したがって、本発明の第１の実施の形態に係る切り替え方法では、コンテンツの送信装置を切り替え可能な構成において、再生装置における安定したコンテンツ再生を実現することができる。
【０１３４】
また、本発明の第１の実施の形態に係るＩＰ再送信システム、ＩＰ再送信装置および切り替え方法では、ＩＰ再送信装置１０１は、コンテンツの再生装置における処理タイミング、たとえばＩＰ−ＳＴＢ１７１におけるＴＳパケットの処理タイミングであるタイムスタンプをＩＰパケットに含めて送信する。上記内部状態は、タイムスタンプのカウント値である。
【０１３５】
このように、内部状態としてタイムスタンプ値を各ＩＰ再送信装置１０１間で整合させることにより、ＩＰ−ＳＴＢ１７１において、切り替え先のＩＰ再送信装置１０１から伝送されるＴＳパケットを安定して処理し、コンテンツを良好に再生することが可能となる。
【０１３６】
次に、本発明の他の実施の形態について図面を用いて説明する。なお、図中同一または相当部分には同一符号を付してその説明は繰り返さない。
【０１３７】
＜第２の実施の形態＞
本実施の形態は、第１の実施の形態に係るＩＰ再送信システムと比べて監視機能を追加したＩＰ再送信システムに関する。以下で説明する内容以外は第１の実施の形態に係るＩＰ再送信システムと同様である。
【０１３８】
図７は、本発明の第２の実施の形態に係るＩＰ再送信システムの構成を示す図である。
【０１３９】
図７を参照して、ＩＰ再送信システム３０２は、本発明の第１の実施の形態に係るＩＰ再送信システムと比べて、さらに、監視装置１６４を備える。
【０１４０】
監視装置１６４は、Ｌ２スイッチ１５５経由でＩＰ再送信装置１０１の出力を監視し、異常を検知する。
【０１４１】
図８は、本発明の第２の実施の形態に係るＩＰ再送信システムにおけるパケットの伝送の一例を示す図である。
【０１４２】
図８を参照して、映像データを含むＴＳパケットである映像パケット、音声データを含むＴＳパケットである音声パケット、およびＰＣＲパケットが放送信号により各ＩＰ再送信装置１０１へ伝送される。
【０１４３】
また、映像データを含むＴＴＳパケットである映像パケット、音声データを含むＴＴＳパケットである音声パケット、ならびに映像データおよびＰＣＲを含むＴＴＳパケットである映像ＰＣＲパケットが、ＩＰパケットにより運用系のＩＰ再送信装置１０１からＬ２スイッチ１５５へ伝送される。
【０１４４】
たとえば、放送信号により伝送されるＰＣＲパケットの送出周期は１００ｍｓであり、ＩＰ再送信装置１０１からの映像ＰＣＲパケットの送出周期は８０ｍｓである。
【０１４５】
前述のように、ＩＰ再送信装置１０１の変形例では、映像ＰＣＲパケットは自走クロックで動作するカウンタ２１のタイミングに従って所定周期で送出される。このため、経時変化、あるいは装置の起動タイミングの相違により、各ＩＰ再送信装置１０１からの映像ＰＣＲパケットの送出周期は一定である一方で位相が異なる場合が多い。
【０１４６】
このため、図８に示すように、運用系のＩＰ再送信装置１０１Ｂから待機系のＩＰ再送信装置１０１Ａへの切り替えタイミングにおいて、映像ＰＣＲパケットの送出周期に乱れが生じる。監視装置１６４がたとえばＩＰ再送信装置１０１からの映像ＰＣＲパケットの送出周期を監視している場合、監視装置１６４が異常を誤検知してしまう可能性がある。
【０１４７】
そこで、本発明の第２の実施の形態に係るＩＰ再送信システムでは、以下のような構成および動作により、このような課題を解決する。
【０１４８】
すなわち、ＩＰ再送信システム３０２において、整合部は、運用系のＩＰ再送信装置１１１および待機系のＩＰ再送信装置１１１の各々からの出力の元となる内部状態であって個体差の生じる内部状態を整合させる。この整合部は、たとえば、ＩＰ再送信装置１１１における制御部１８、ＴＴＳ処理部１５および多重化部１４、ならびに制御装置１５１における取得部３２および情報付与部３３に相当する。
【０１４９】
切り替え部は、コンテンツの再送信の切り替えとして、運用系のＩＰ再送信装置１１１に所定のタイミングにおいてコンテンツの再送信を停止させ、待機系のＩＰ再送信装置１１１に所定のタイミングにおいてコンテンツの再送信を開始させる。この処理部は、たとえば、制御装置１５１における切り替え命令部３４に相当する。
【０１５０】
ＩＰ再送信装置１１１において、処理部は、運用系のＩＰ再送信装置１１１および待機系のＩＰ再送信装置１１１の各々からの出力の元となる内部状態であって個体差の生じる内部状態を整合させるための処理を行う。この処理部は、たとえば、ＩＰ再送信装置１１１における制御部１８、ＴＴＳ処理部１５および多重化部１４に相当する。
【０１５１】
たとえば、上記内部状態は、基準タイミングたとえばＰＣＲの情報のＩＰ再送信装置１０１からの出力タイミングである。
【０１５２】
図９は、本発明の第２の実施の形態に係るＩＰ再送信システムにおけるＩＰ再送信装置の他の例の構成を示す図である。
【０１５３】
図９を参照して、ＩＰ再送信装置１１１は、図６に示すＩＰ再送信装置１０１の変形例と比べて、カウンタ２１を備えない構成である。
【０１５４】
多重化部１４は、カウンタ１９のカウント値を参照することにより、映像ＰＣＲパケットを所定周期でＴＴＳ処理部１５へ出力する。より詳細には、多重化部１４は、一定間隔の当該カウント値で映像ＰＣＲパケットを出力する。
【０１５５】
ＩＰ再送信装置１０１と同様に、運用系のＩＰ再送信装置１１１におけるカウンタ１９のカウント値、および待機系のＩＰ再送信装置１１１におけるカウンタ１９のカウント値は、ほぼ同じ値で推移する。このため、各ＩＰ再送信装置１１１からの映像ＰＣＲパケットの送出タイミングを合わせることができ、映像ＰＣＲパケットの送出周期の位相を合わせることができる。
【０１５６】
図１０は、本発明の第２の実施の形態に係るＩＰ再送信システムにおけるパケットの伝送の他の例を示す図である。
【０１５７】
図１０を参照して、多重化部１４は、カウンタ１９のカウント値が、たとえば、０ｘ２０００００（「０ｘ」は１６進数表記）、０ｘ４０００００、０ｘ６０００００、および０ｘ８０００００になるタイミングにおいて映像ＰＣＲパケットをＴＴＳ処理部１５へ出力する。カウンタ１９が２７ＭＨｚのクロックのタイミングに従って動作する場合、映像ＰＣＲパケットは７７．６ｍｓ周期で送出される。
【０１５８】
これにより、図１０に示すように、運用系のＩＰ再送信装置１１１Ｂから待機系のＩＰ再送信装置１１１Ａへの切り替えタイミングにおいて、映像ＰＣＲパケットの送出周期に乱れが生じず、監視装置１６４は、切り替えタイミングの前後においても所定周期の映像ＰＣＲパケットが送出されている状態を確認することができる。
【０１５９】
その他の構成および動作は第１の実施の形態に係るＩＰ再送信システムと同様であるため、ここでは詳細な説明を繰り返さない。
【０１６０】
また、本発明の第２の実施の形態に係るＩＰ再送信システム、ＩＰ再送信装置および切り替え方法では、放送波に含まれる基準タイミングたとえばＰＣＲの情報が各ＩＰ再送信装置１０１において取得される。ＩＰ再送信装置１０１は、ＰＣＲの情報をＩＰパケットに含めて再送信する。上記内部状態は、ＰＣＲの情報のＩＰ再送信装置１０１からの出力タイミングである。
【０１６１】
このように、内部状態としてＰＣＲの送出タイミングを各ＩＰ再送信装置１１１間で整合させることにより、たとえば、切り替えに伴う監視装置１６４による異常の誤検知を防ぐことができる。
【０１６２】
なお、本発明の第１の実施の形態および第２の実施の形態に係るＩＰ再送信システムでは、運用系のＩＰ再送信装置および待機系のＩＰ再送信装置の各々からの出力の元となる内部状態として、それぞれ、タイムスタンプ値およびＰＣＲの出力タイミングを各ＩＰ再送信装置間で整合させる構成であるとしたが、これに限定するものではない。本発明の実施の形態に係るＩＰ再送信システムは、時間の経過とともに変化するか、あるいは起動タイミング等により変動することにより、各ＩＰ再送信装置間で個体差の生じる他の内部状態を整合させる構成であってもよい。
【０１６３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６４】
以上の説明は、以下に付記する特徴を含む。
［付記１］
分配器から同じ放送波を受信し、前記放送波に含まれるコンテンツをＩＰパケットに含めて再送信する複数のＩＰ再送信装置と、
制御装置とを備え、
各前記ＩＰ再送信装置から出力される前記ＩＰパケットは、中継装置によって中継されてネットワークへ送信され、
待機系の前記ＩＰ再送信装置は、受信する放送波の周波数を、運用系の前記ＩＰ再送信装置が受信している放送波の周波数に合わせ、
前記待機系のＩＰ再送信装置は、前記運用系のＩＰ再送信装置において生成される、前記コンテンツの再生装置における処理タイミングに関するタイミング情報を前記制御装置を介して取得し、
前記制御装置は、所定のタイミングにおいて、前記運用系のＩＰ再送信装置に前記コンテンツの再送信を停止させ、前記待機系のＩＰ再送信装置に前記コンテンツの再送信を開始させ、
前記待機系のＩＰ再送信装置は、与えられた前記タイミング情報に基づく前記処理タイミングを前記ＩＰパケットに含めて送信し、
前記所定のタイミングは、前記処理タイミングを用いて指定されるタイミングであり、
前記運用系のＩＰ再送信装置は、自走クロックのタイミングに従って動作するカウンタのカウント値を前記処理タイミングとし、
前記タイミング情報は、前記運用系のＩＰ再送信装置における前記放送波に含まれる基準タイミングと前記処理タイミングとの差分を示し、
前記待機系のＩＰ再送信装置は、自走クロックのタイミングに従って動作するカウンタのカウント値を前記処理タイミングとし、前記タイミング情報に基づいて前記処理タイミングを補正し、
前記ＩＰ再送信装置は、前記コンテンツが複数に分割された情報を含む複数のＴＳパケットを１または複数の前記ＩＰパケットに含めて再送信し、
前記処理タイミングは、前記再生装置における前記ＴＳパケットの処理タイミングである、ＩＰ再送信システム。
【０１６５】
［付記２］
放送波を受信し、前記放送波に含まれるコンテンツをＩＰパケットに含めて再送信するＩＰ再送信システムにおけるＩＰ再送信装置であって、
前記コンテンツの再生装置における処理タイミングに関するタイミング情報を生成するタイミング情報生成部と、
前記タイミング情報生成部によって生成された前記タイミング情報を他の前記ＩＰ再送信装置に通知する通知部と、
他の前記ＩＰ再送信装置から通知された前記タイミング情報を取得する取得部と、
前記取得部によって取得された前記タイミング情報に基づく前記処理タイミングを含む前記ＩＰパケットを生成して送信するパケット処理部とを備え、
前記所定のタイミングは、前記処理タイミングを用いて指定されるタイミングであり、
前記ＩＰ再送信装置は、自走クロックのタイミングに従って動作するカウンタのカウント値を前記処理タイミングとし、
前記タイミング情報は、前記ＩＰ再送信装置における前記放送波に含まれる基準タイミングと前記処理タイミングとの差分を示し、
前記ＩＰ再送信装置は、自走クロックのタイミングに従って動作するカウンタのカウント値を前記処理タイミングとし、前記タイミング情報に基づいて前記処理タイミングを補正し、
前記パケット処理部は、前記コンテンツが複数に分割された情報を含む複数のＴＳパケットを１または複数の前記ＩＰパケットに含めて再送信し、
前記処理タイミングは、前記再生装置における前記ＴＳパケットの処理タイミングである、ＩＰ再送信装置。
【０１６６】
［付記３］
放送波を受信し、前記放送波に含まれるコンテンツをＩＰパケットに含めて再送信する複数のＩＰ再送信装置を備えるＩＰ再送信システムにおける制御装置であって、
待機系の前記ＩＰ再送信装置に対して、受信する放送波の周波数を、運用系の前記ＩＰ再送信装置が受信している放送波の周波数に合わせる命令を通知する放送波命令部と、
前記運用系のＩＰ再送信装置において生成される、前記コンテンツの再生装置における処理タイミングに関するタイミング情報を取得する取得部と、
前記取得部によって取得された前記タイミング情報を前記待機系のＩＰ再送信装置に与える情報付与部と、
所定のタイミングにおいて前記運用系のＩＰ再送信装置が前記コンテンツの再送信を停止し、かつ所定のタイミングにおいて前記待機系のＩＰ再送信装置が前記コンテンツの再送信を開始する命令を通知する切り替え命令部とを備え、
前記所定のタイミングは、前記処理タイミングを用いて指定されるタイミングである、
前記処理タイミングは、前記運用系のＩＰ再送信装置における、自走クロックのタイミングに従って動作するカウンタのカウント値であり、
前記タイミング情報は、前記運用系のＩＰ再送信装置における前記基準タイミングと前記処理タイミングとの差分を示し、
前記ＩＰ再送信装置は、前記コンテンツが複数に分割された情報を含む複数のＴＳパケットを１または複数の前記ＩＰパケットに含めて再送信し、
前記処理タイミングは、前記再生装置における前記ＴＳパケットの処理タイミングである、制御装置。
【０１６７】
［付記４］
分配器から同じ放送波を受信し、前記放送波に含まれるコンテンツをＩＰパケットに含めて再送信する複数のＩＰ再送信装置を備えるＩＰ再送信システムであって、
各前記ＩＰ再送信装置から出力される前記ＩＰパケットは、中継装置によって中継されてネットワークへ送信され、
待機系の前記ＩＰ再送信装置は、受信する放送波の周波数を、運用系の前記ＩＰ再送信装置が受信している放送波の周波数に合わせ、
前記ＩＰ再送信システムは、さらに、
前記運用系のＩＰ再送信装置および前記待機系のＩＰ再送信装置の各々からの出力の元となる内部状態であって個体差の生じる内部状態を整合させる整合部と、
前記コンテンツの再送信の切り替えとして、前記運用系のＩＰ再送信装置に所定のタイミングにおいて前記コンテンツの再送信を停止させ、前記待機系のＩＰ再送信装置に所定のタイミングにおいて前記コンテンツの再送信を開始させる切り替え部とを備え、
前記ＩＰ再送信装置は、前記コンテンツが複数に分割された情報を含む複数のＴＳパケットを１または複数の前記ＩＰパケットに含めて再送信し、
前記内部状態は、ＰＣＲの情報を含む前記ＩＰパケットの前記ＩＰ再送信装置からの出力タイミングであるか、または前記ＩＰパケットに含められるタイムスタンプのカウント値である、ＩＰ再送信システム。
【０１６８】
［付記５］
放送波を受信し、前記放送波に含まれるコンテンツをＩＰパケットに含めて再送信する複数のＩＰ再送信装置を備えるＩＰ再送信システムにおける前記ＩＰ再送信装置であって、
運用系の前記ＩＰ再送信装置および待機系の前記ＩＰ再送信装置の各々からの出力の元となる内部状態であって個体差の生じる内部状態を整合させるための処理を行う処理部と、
前記ＩＰパケットを出力する出力部とを備え、
前記ＩＰ再送信装置は、前記コンテンツが複数に分割された情報を含む複数のＴＳパケットを１または複数の前記ＩＰパケットに含めて再送信し、
前記内部状態は、ＰＣＲの情報を含む前記ＩＰパケットの前記ＩＰ再送信装置からの出力タイミングであるか、または前記ＩＰパケットに含められるタイムスタンプのカウント値である、ＩＰ再送信装置。
【符号の説明】
【０１６９】
１１  チューナ
１２  デスクランブル部
１３  トランスコード部
１４  多重化部
１５  ＴＴＳ処理部（パケット処理部）
１６  スクランブル部
１７  ＩＰ変換部
１８  制御部（タイミング情報生成部、通知部および取得部）
１９，２１  カウンタ
２０  スイッチ回路
３１  放送波命令部
３２  取得部
３３  情報付与部
３４  切り替え命令部
１０１，１１１  ＩＰ再送信装置
１５１  制御装置
１５２  分配器
１５３，１５４，１５５  Ｌ２スイッチ
１６１  全局ＳＩサーバ
１６２  緊急警報サーバ
１６３  鍵サーバ
１６４  監視装置
３０１  ＩＰ再送信システム
４０１  ＩＰ網
１７１  ＩＰ−ＳＴＢ
３０１，３０２  ＩＰ再送信システム
【図１】
2019009756.tif 000003
【図２】
2019009756.tif 000004
【図３】
2019009756.tif 000005
【図４】
2019009756.tif 000006
【図５】
2019009756.tif 000007
【図６】
2019009756.tif 000008
【図７】
2019009756.tif 000009
【図８】
2019009756.tif 000010
【図９】
2019009756.tif 000011
【図１０】
2019009756.tif 000012